(57)【要約】【課題】整流子電動機において、ブラシ及び、ブラシ箱は、ブラシ保持器を介して、ブラケットの外周部に、固定ネジによってのみ固定されているため、整流子電動機の運転時の振動等の影響によって、ブラシと、整流子間の接触状態が不安定になり、ブラシの磨耗が促進され、電動機のブラシ寿命を短くしてしまう。【解決手段】整流子電動機において、整流子電動機の一対のブラケットＡ１及びブラケットＢ２により、回転自在に回転子３が、組み込まれており、前記回転子３に、ブラシ４と当接するように整流子５が、取り付けられている。ブラシ４及びブラシ箱６は、前記ブラケットＡ１に設けられた数箇所のリブ１０１により、ブラシ箱６の数箇所を保持することで、ブラケットＡ１に固定されている。ブラシ箱の数箇所の保持位置を、ブラシ４が、ブラシ箱６の中を摺動する際に影響しない位置にすることにより、更に、ブラシと、整流子間の接触が安定することになる。【選択図】図１
2009189147.tif 000002
【特許請求の範囲】
【請求項１】
電気機器に用いられる、整流子を内包した整流子電動機において、一対のブラケットにより、回転自在に固定される回転子に取り付けられた整流子に当接するように取り付けられる数個のブラシの固定の構造が、前記一対のブラケットのどちらか一方に、ブラシ箱の、先端部分や根元部分等の数箇所を保持する様なリブを設けてブラシ箱を保持することを特徴とする整流子電動機のブラシ保持構造。
【請求項２】
請求項１記載の整流子電動機のブラシ保持構造において、ブラシ箱の圧入部分を、ブラシの摺動を妨げない部分にしたこことを特徴とした整流子電動機のブラシ保持構造。
【請求項３】
空気吸引用の回転ファンと、この回転ファンを覆うファンケースと、回転ファンの後方に設けられ、前記回転ファン駆動用の整流子電動機部を支持する一対のブラケットと、前記回転ファンと前記一対のブラケットの前記回転ファン側のブラケットとの間に設けられ前記回転ファンにより発生した空気流を整流した後に前記整流子電動機側へ送り出すエアガイドとを備える構成であり、そして前記整流子電動機部が、固定子と、この固定子の内側に配された回転子と、この回転子に連なって回転子よりも前記回転ファン側に配された整流子と、この整流子に当接するように取り付けられた複数個のブラシ及びこのブラシを収納するブラシ箱とを具備した電動送風機において、前記一対のブラケットの少なくともいずれか一方に前記ブラシ箱の先端部分及び根元部分等の数箇所を保持するブラシ箱保持部を前記一対のブラケットの少なくともいずれか一方に具備する電動送風機。
【請求項４】
請求項３記載の電動送風機において、前記一対のブラケットの少なくともいずれか一方に配設された記ブラシ箱の先端部分及び根元部分等の数箇所を保持するブラシ箱保持部の位置が、ブラシと整流子との摺動が安定となる位置に配設された構成を具備する電動送風機。
【発明の詳細な説明】
【技術分野】
【０００１】
本発明は、一般的な電気機器に使用される整流子電動機及び電動送風機のブラシ保持構造に関する。
【背景技術】
【０００２】
従来、一般的な電気機器に使用される整流子を内包した整流子電動機において、一対のブラケットに回転自在に固定された回転子に取り付けられた整流子と当接するように設けられる数個のブラシ及び、ブラシ箱の固定は、前記ブラケットの何れか一方のブラケットに、ブラシ保持器等を介して、固定ネジなどによって行われている。
【０００３】
ここで、前記従来タイプの整流子電動機について図を用いて簡単に説明する。図２は、従来の整流子電動機の半断面図である。整流子電動機の一対のブラケットＡ１及びブラケットＢ２により、回転自在に回転子３が、組み込まれており、前記回転子３に、ブラシ４と当接するように整流子５が、取り付けられている。この従来例においては、ブラシ４は、前記ブラケットＢの外周部にブラシ箱６及び、ブラシ保持器７を介し、固定ネジ８により、固定されている。図２においては、空気吸引用の回転ファン、ファンケース、エアガイドの記載が省かれ図示されていない。なお、従来技術の構造については、特許文献１が開示されている。
【特許文献１】特開平６−２５７５９８号公報
【発明の開示】
【発明が解決しようとする課題】
【０００４】
以上のような従来の整流子電動機において、ブラシ４及び、ブラシ箱６は、ブラシ保持器７を介して、ブラケットＢ２の外周部に、固定ネジ８によってのみ固定されているため、整流子電動機の運転時の振動等の影響によって、ブラシと、整流子間の接触状態が不安定になり、ブラシの磨耗が促進され、電動機のブラシ寿命に影響していた。したがって、ブラシ寿命の高寿命化は常に求められる技術的課題となっていた。
【０００５】
この課題を解決するために本発明は、整流子電動機のブラシ及び、ブラシ箱の保持を、整流子電動機の運転時の振動などの影響により、ブラシと、整流子間の接触状態が不安定にならず、電動機のブラシ磨耗の促進が従来よりも抑制された整流子電動機を提供することを目的とする。
【課題を解決するための手段】
【０００６】
上記課題を解決するために本件出願に係る第１の発明は、電気機器に用いられる、整流子を内包した整流子電動機において、一対のブラケットにより、回転自在に固定される回転子に取り付けられた整流子に当接するように取り付けられる数個のブラシの固定の構造が、前記一対のブラケットのどちらか一方に、ブラシ箱の、先端部分や根元部分等の数箇所を保持する様なリブを設けてブラシ箱を保持することを特徴とする整流子電動機のブラシ保持構造である。
【０００７】
また、本件出願に係る第２の発明は、上記第１の発明において、ブラシ箱の圧入部分を、ブラシの摺動を妨げない部分にしたこことを特徴とした整流子電動機のブラシ保持構造である。
【０００８】
また、本件出願に係る第３の発明は、空気吸引用の回転ファンと、この回転ファンを覆うファンケースと、回転ファンの後方に設けられ、前記回転ファン駆動用の整流子電動機部を支持する一対のブラケットと、前記回転ファンと前記一対のブラケットの前記回転ファン側のブラケットとの間に設けられ前記回転ファンにより発生した空気流を整流した後に前記整流子電動機側へ送り出すエアガイドとを備える構成であり、そして前記整流子電動機部が、固定子と、この固定子の内側に配された回転子と、この回転子に連なって回転子よりも前記回転ファン側に配された整流子と、この整流子に当接するように取り付けられた複数個のブラシ及びこのブラシを収納するブラシ箱とを具備した電動送風機において、前記一対のブラケットの少なくともいずれか一方に前記ブラシ箱の先端部分及び根元部分等の数箇所を保持するブラシ箱保持部を前記一対のブラケットの少なくともいずれか一方に具備する電動送風機である。
【０００９】
また、本件出願に係る第２の発明は、上記第３の発明において、前記一対のブラケットの少なくともいずれか一方に配設された記ブラシ箱の先端部分及び根元部分等の数箇所を保持するブラシ箱保持部の位置が、ブラシと整流子との摺動が安定となる位置に配設された構成を具備する電動送風機である。
【発明の効果】
【００１０】
本発明の整流子電動機のブラシ保持構造によれば、ブラシ及びブラシ箱の固定をブラケットに設けられた数箇所のリブにより、行っているため、整流子電動機の運転時の振動等の影響によって、ブラシと、整流子間の接触状態が、不安定にならないことから、ブラシの磨耗が促進されることもなくなり、整流子電動機のブラシ寿命が、向上するという効果が得られる。
【発明を実施するための最良の形態】
【００１１】
本発明の構成によれば、一般的な電気機器に用いられる整流子電動機、及び電動送風機の運転時の振動等の影響により、ブラシと整流子間の接触状態が不安定にならず、ブラシ寿命が向上するという作用がある。
【００１２】
以下、本発明の実施例について、図１を用いて説明する。
【実施例１】
【００１３】
空気吸引用の回転ファンと、この回転ファンを覆うファンケースと、回転ファンの後方に設けられ、前記回転ファン駆動用の整流子電動機部を支持する一対のブラケットと、前記回転ファンと前記一対のブラケットの前記回転ファン側のブラケットとの間に設けられ前記回転ファンにより発生した空気流を整流した後に前記整流子電動機側へ送り出すエアガイドとを備える構成であり、そして前記整流子電動機部が、固定子と、この固定子の内側に配された回転子と、この回転子に連なって回転子よりも前記回転ファン側に配された整流子と、この整流子に当接するように取り付けられた複数個のブラシ及びこのブラシを収納するブラシ箱とを具備した電動送風機において、前記一対のブラケットの少なくともいずれか一方に前記ブラシ箱の先端部分及び根元部分等の数箇所を保持するブラシ箱保持部を前記一対のブラケットの少なくともいずれか一方に具備する電動送風機である。
【００１４】
図１は本発明の一実施例の場合の半断面図である。なお、図１においては、空気吸引用の回転ファン、ファンケース、エアガイドの記載が省かれ図示されていない。
【００１５】
本発明の一実施例の整流子電動機において、整流子電動機の一対のブラケットＡ１及びブラケットＢ２により、回転自在に回転子３が、組み込まれており、前記回転子３に、ブラシ４と当接するように整流子５が、取り付けられている。
【００１６】
本一実施例においては、ブラシ４及びブラシ箱６は、前記ブラケットＡ１に設けられた数箇所のリブ１０１により、ブラシ箱６の数箇所を保持することで、ブラケットＡ１に固定されている。
【００１７】
この時、ブラシ箱の数箇所の保持位置を、ブラシ４が、ブラシ箱６の中を摺動する際に影響しない位置にすることにより、更に、ブラシと、整流子間の接触が安定することになる。
【産業上の利用可能性】
【００１８】
本発明は、例えば電気掃除機などに用いられる電動送風機又は整流子電動機と呼称される電動機のブラシ保持構造に有用である。
【図面の簡単な説明】
【００１９】
【図１】本発明の整流子電動機の一実施例の半断面図
【図２】従来の整流子電動機の半断面図
【符号の説明】
【００２０】
１    ブラケットＡ
１０１    ブラケットＡに設けられたブラシ箱保持用リブ
２    ブラケットＢ
３    回転子
４    ブラシ
５    整流子
６    ブラシ箱
７    ブラシ保持器
８    ネジ
【図１】
2009189147.tif 000003
【図２】
2009189147.tif 000004